(57)【要約】【課題】予約された印刷ジョブの呼び出しを選択的に行うことで、印刷ジョブをより確実に実行可能にする画像形成装置を実現する。【解決手段】画像形成装置１が起動されても、ユーザが予約した印刷ジョブは、そのユーザが設定した所定の条件（例えば、設定時刻、暗証番号など）を満たすまで不揮発性メモリ１２０に格納されたまま維持され、その条件を満たすと判断された際に印刷ジョブが呼び出されるようになっているので、ユーザの意に反して印刷ジョブが実行されてしまったり削除されてしまったりすることなく、印刷ジョブを確実に実行することが可能になる。【選択図】図２
2010107882.tif 000002
【特許請求の範囲】
【請求項１】
印刷ジョブを格納するための不揮発性の記憶部と、
前記印刷ジョブの前記記憶部への格納を指示する入力部と、
前記印刷ジョブに対応させ、その印刷ジョブを実行可能とするための所定の条件を前記記憶部に記憶させる条件設定部と、
前記記憶部に格納された前記印刷ジョブを実行させる制御部と、
を備え、
前記制御部は、前記記憶部に記憶された所定の条件を満たすと判断した場合に、前記印刷ジョブを実行することを特徴とする画像形成装置。
【請求項２】
前記制御部は、当該画像形成装置の電源が投入された際に、前記記憶部に格納された前記印刷ジョブを実行するため、前記記憶部に記憶された所定の条件を満たすか否か判断することを特徴とする請求項１に記載の画像形成装置。
【請求項３】
前記制御部は、当該画像形成装置の電源が投入された際に、前記記憶部に前記印刷ジョブが格納されている場合に、その印刷ジョブが存在することを報知することを特徴とする請求項１又は２に記載の画像形成装置。
【請求項４】
前記記憶部には、前記条件として設定時刻が記憶されており、
前記制御部は、前記設定時刻が経過していると判断した場合に、前記印刷ジョブを実行することを特徴とする請求項１〜３の何れか一項に記載の画像形成装置。
【請求項５】
ユーザが、認証情報を入力する認証入力部を備え、
前記制御部は、前記認証入力部により入力された認証情報と、前記記憶部に前記条件として記憶されている認証情報とが一致していると判断した場合に、前記印刷ジョブを実行することを特徴とする請求項１〜４の何れか一項に記載の画像形成装置。
【請求項６】
前記認証情報は、暗証番号であることを特徴とする請求項５に記載の画像形成装置。
【請求項７】
前記認証情報は、指紋データであることを特徴とする請求項５に記載の画像形成装置。
【請求項８】
前記記憶部には、複数の条件が記憶されており、
ユーザが、前記複数の条件から任意の条件を選択する選択部を備え、
前記制御部は、その選択された条件に基づき、前記記憶部に格納された前記印刷ジョブを実行するための判断を行うことを特徴とする請求項１〜７の何れか一項に記載の画像形成装置。
【発明の詳細な説明】
【技術分野】
【０００１】
本発明は、画像形成装置に関する。
【背景技術】
【０００２】
近年、予約コピー機能を有する画像形成装置が知られている。
予約コピー機能とは、画像形成装置に設けられた操作部により次の印刷ジョブに対する機能設定を行い、且つ、スキャナにより次の印刷ジョブの原稿の読み取りを行って、現在実行中の印刷ジョブが終了した時点で、次の印刷ジョブを実行するというものである。
【０００３】
このような画像形成装置において、電源のオフなどにより印刷ジョブが中断される際、中断された印刷ジョブのデータと実行状態とをハードディスクに記録しておき、再度電源が投入された際に、ハードディスク内に中断された印刷ジョブの記録があると判断されると、その中断された印刷ジョブのデータと実行状態とを呼び出して、印刷ジョブを再開するものが知られている（例えば、特許文献１参照。）。
そして、印刷途中の印刷ジョブを区切りのよいところで停止させ、実行されていない印刷ジョブについてはハードディスクに記録し予約しておき、ユーザが所望するタイミングにその予約した印刷ジョブを再開して印刷を継続することが可能になっている。
【特許文献１】特開２００１−２４５０７９号公報
【発明の開示】
【発明が解決しようとする課題】
【０００４】
しかしながら、上記特許文献１の場合、例えば、ユーザが翌日に実行するために予約しておいた印刷ジョブが、夜間メンテナンス等の印刷以外の作業を行うために電源が投入された装置において呼び出されてしまい、そのユーザ以外のオペレータによるメンテナンス等の実施によって、予約された印刷ジョブが削除されるなどして失われてしまうことがあり、ユーザが印刷ジョブの入力設定をし直さなければならないことがあるという問題があった。
【０００５】
本発明の目的は、予約された印刷ジョブの呼び出しを選択的に行うことで、印刷ジョブをより確実に実行可能にする画像形成装置を提供することである。
【課題を解決するための手段】
【０００６】
以上の課題を解決するため、請求項１に記載の発明は、
印刷ジョブを格納するための不揮発性の記憶部と、
前記印刷ジョブの前記記憶部への格納を指示する入力部と、
前記印刷ジョブに対応させ、その印刷ジョブを実行可能とするための所定の条件を前記記憶部に記憶させる条件設定部と、
前記記憶部に格納された前記印刷ジョブを実行させる制御部と、
を備える画像形成装置であって、
前記制御部は、前記記憶部に記憶された所定の条件を満たすと判断した場合に、前記印刷ジョブを実行することを特徴とする。
【０００７】
請求項２に記載の発明は、請求項１に記載の画像形成装置において、
前記制御部は、当該画像形成装置の電源が投入された際に、前記記憶部に格納された前記印刷ジョブを実行するため、前記記憶部に記憶された所定の条件を満たすか否か判断することを特徴とする。
【０００８】
請求項３に記載の発明は、請求項１又は２に記載の画像形成装置において、
前記制御部は、当該画像形成装置の電源が投入された際に、前記記憶部に前記印刷ジョブが格納されている場合に、その印刷ジョブが存在することを報知することを特徴とする。
【０００９】
請求項４に記載の発明は、請求項１〜３の何れか一項に記載の画像形成装置において、
前記記憶部には、前記条件として設定時刻が記憶されており、
前記制御部は、前記設定時刻が経過していると判断した場合に、前記印刷ジョブを実行することを特徴とする。
【００１０】
請求項５に記載の発明は、請求項１〜４の何れか一項に記載の画像形成装置において、
ユーザが、認証情報を入力する認証入力部を備え、
前記制御部は、前記認証入力部により入力された認証情報と、前記記憶部に前記条件として記憶されている認証情報とが一致していると判断した場合に、前記印刷ジョブを実行することを特徴とする。
【００１１】
請求項６に記載の発明は、請求項５に記載の画像形成装置において、
前記認証情報は、暗証番号であることを特徴とする。
【００１２】
請求項７に記載の発明は、請求項５に記載の画像形成装置において、
前記認証情報は、指紋データであることを特徴とする。
【００１３】
請求項８に記載の発明は、請求項１〜７の何れか一項に記載の画像形成装置において、
前記記憶部には、複数の条件が記憶されており、
ユーザが、前記複数の条件から任意の条件を選択する選択部を備え、
前記制御部は、その選択された条件に基づき、前記記憶部に格納された前記印刷ジョブを実行するための判断を行うことを特徴とする。
【発明の効果】
【００１４】
本発明によれば、画像形成装置が起動されても、ユーザが不揮発性の記憶部に格納した印刷ジョブは、そのユーザが設定した所定の条件を満たすまで記憶部に格納されたまま維持され、その条件を満たすと判断された際に印刷ジョブが呼び出されるようになっているので、ユーザの意に反して印刷ジョブが実行されてしまったり削除されてしまったりすることなく、印刷ジョブを確実に実行することが可能になる。
つまり、この画像形成装置において、印刷ジョブに対応付けて設定した条件に基づき、記憶部に格納された印刷ジョブの呼び出しを選択的に行うことで、印刷ジョブをより確実に実行することができる。
【発明を実施するための最良の形態】
【００１５】
以下、図面を参照して、本発明の実施形態を詳細に説明する。
【００１６】
（実施形態１）
図１は、本発明に係る画像形成装置１の概略断面図であり、図２は、その画像形成装置１の制御ブロック図である。
【００１７】
画像形成装置１は、図１に示すように、原稿から画像を読み取り、読み取った画像を用紙Ｐに画像形成したり、外部装置等から画像データを含むページデータや各画像データの画像形成条件（両面モード、片面モード等）や後処理条件（ステイプルの綴じ位置、綴じ方向等）等の設定情報を含む印刷ジョブを取得し、その取得した印刷ジョブに基づいて画像を用紙Ｐ上に形成したり、ユーザが原稿から読み取った画像に対して画像形成条件等を付与した印刷ジョブを設定し、その設定した印刷ジョブに基づいて画像を用紙Ｐ上に形成したりする本体部１ａと、画像が形成された用紙に後処理を施す後処理部５０等を備えたデジタル複合機である。
本体部１ａは、画像読取部２０、操作表示部３０、プリント部４０等を備えて構成される。
【００１８】
画像読取部２０は、ＡＤＦ（Auto Document Feeder）と称される自動原稿送り部２１と読取部２２とを備え、操作表示部３０から入力された設定情報に基づいて複数の原稿の画像を読み取る機能を実現する。自動原稿送り部２１の原稿トレイＴ１に載置された原稿ｄは、読取位置であるコンタクトガラス上に搬送され、光学系により原稿ｄの片面又は両面の画像が走査され、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００１９】
画像読取部２０により読み取られた画像データ（アナログ画像信号）は、後述する画像制御基板１００の読取処理部１４０に出力され、読取処理部１４０においてＡ／Ｄ変換され各種画像処理が施された後、プリント部４０に出力される。
【００２０】
操作表示部３０は、ＬＣＤ（Liquid Crystal Display）３１、ＬＣＤ３１を覆うように設けられたタッチパネル３２、マウス３３、その他図示しない操作キー等から構成され、ユーザからの指示を受け付けその操作信号を制御部１１０に出力し、また、制御部１１０から入力される表示信号に従って、各種操作指示や設定情報を入力するための各種設定画面や各種処理結果等を表示する。
【００２１】
ＬＣＤ３１は、各種操作指示を示す複数のボタンや、各種画面を表示する表示部として機能する。
タッチパネル３２は、例えば、電磁誘導式、磁気歪式、感圧式等の位置読み取り原理によりタッチ指示された位置を検出し、その検出した位置に応じて各種データの入力や操作指示の入力を行うことが可能な入力部として機能する。
そして、操作表示部３０は、各種画面におけるボタンなどを介し、その画面により受け付けられた指示を示す操作信号を後述する制御部１１０に出力する。
【００２２】
プリント部４０は、入力されたプリントデータに基づいて、電子写真方式の画像形成処理を行うものであり、給紙部４１、用紙搬送部４２、画像形成部４３、搬出部４４を備えて構成される。
【００２３】
給紙部４１は、複数の給紙トレイ４１ａ、給紙手段４１ｂ、手差しトレイＴ２等を備える。給紙トレイ４１ａには、用紙Ｐが収容されており、給紙手段４１ｂによって用紙Ｐを最上部から一枚ずつ用紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ用紙搬送部４２に向けて搬送する。
【００２４】
用紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、用紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００２５】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３０や不揮発メモリ１２０に記憶されている印刷ジョブに基づいて用紙Ｐに画像を形成する機能を実現する。
具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
なお、図示は省略するが、画像形成部４３における定着装置４３ｂを除く部分は、イエロー、マゼンダ、シアン、ブラックの４色分がそれぞれ備わっている。
【００２６】
定着装置４３ｂは、用紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００２７】
後処理部５０は、画像が形成された用紙のソート処理を行うソート部、パンチ処理を行うパンチ部、設定された綴じ方向及び綴じ位置に応じて用紙の束を綴じるステイプル処理を行うステイプル部、折り処理を行う折り部、断裁処理を行う断裁ユニット等の各種後処理ユニットと、各種処理が施された又は施されなかった用紙が排紙されて積載される複数の排紙トレイＴ３を備える。
【００２８】
また、画像形成装置１は、図２に示すように、本体部１ａとプリンタコントローラ１ｂと、本体部１ａに接続された後処理部５０や指紋認証部６０から構成されている。
画像形成装置１は、プリンタコントローラ１ｂのＬＡＮＩＦ（Local Area Network InterFace）１４を介してネットワーク３上の外部装置２と相互に情報の送受信が可能に接続されている。
【００２９】
本体部１ａは、画像読取部２０、操作表示部３０、プリント部４０、画像制御基板１００を備えて構成される。なお、図１で説明した各部と同一の構成には、同一の符号を付してその説明を省略する。
【００３０】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００３１】
制御部１１０は、ＣＰＵ（Central Processing Unit）等から構成され、不揮発メモリ１２０に格納されているシステムプログラム及び各種アプリケーションプログラム、各種データの中から指定されたプログラムやデータを読み出してＲＡＭ１３０に展開し、ＲＡＭ１３０に展開されたプログラムとの協働で、各種処理を実行し、画像形成装置１の各部を集中制御する。例えば、操作表示部３０や外部装置２から入力される指示信号に従い、コピーモード、プリンタモード、スキャナモードを切り替えて、複写、プリント、画像データの読み取り等の制御を行う。
【００３２】
制御部１１０は、印刷ジョブ格納プログラムに基づき、操作表示部３０を介して入力される印刷ジョブの格納指示に応じて、ユーザが設定した印刷ジョブや外部装置等から取得した印刷ジョブを、不揮発性メモリ１２０へ記憶し格納する処理を実行する。
また、制御部１１０は、条件設定プログラムに基づき、不揮発性メモリ１２０へ格納する印刷ジョブに対応させて、その印刷ジョブを実行可能とするための所定の条件を不揮発性メモリ１２０に記憶し設定する処理を実行する。
【００３３】
また、制御部１１０は、印刷ジョブ実行プログラムに基づき、不揮発性メモリ１２０に格納された印刷ジョブを実行させる。
特に、制御部１１０は、不揮発性メモリ１２０に記憶された所定の条件を満たすと判断した場合に印刷ジョブを実行する処理を行う。
なお、所定の条件とは、例えば、設定時刻であり、制御部１１０が不揮発性メモリ１２０に記憶されている設定時刻を経過したと判断した場合に不揮発性メモリ１２０に格納された印刷ジョブが実行されるようになっている。
【００３４】
また、制御部１１０は、当該画像形成装置１の電源が投入された際に、不揮発性メモリ１２０に格納された印刷ジョブを実行するため、不揮発性メモリ１２０に記憶された所定の条件を満たすか否か判断する。
更に、制御部１１０は、当該画像形成装置１の電源が投入された際に、不揮発性メモリ１２０に印刷ジョブが格納されている場合に、その印刷ジョブが存在することを報知する処理を実行する。
【００３５】
不揮発メモリ１２０は、例えば、プログラムメモリであるＲＯＭを備え、画像形成に係る各種処理プログラム及びデータの他、印刷ジョブ格納プログラム、条件設定プログラム、印刷ジョブ実行プログラム等を記憶する。
また、不揮発メモリ１２０は、例えば、ＨＤＤ（Hard Disk Drive）を備え、予約される印刷ジョブや、その印刷ジョブに対応する所定の条件等に関するデータを記憶する記憶部として機能する。
【００３６】
ＲＡＭ１３０は、制御部１１０により実行される各種プログラム及びこれらプログラムに係る各種データ、印刷ジョブ等を一時的に記憶するワークエリアを形成する。
【００３７】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３８】
圧縮ＩＣ１５０は、入力されたデジタル画像データに圧縮処理を施してＤＲＡＭ制御ＩＣ１６０に出力する。
【００３９】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４０】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００４１】
伸長ＩＣ１８０は、圧縮画像データに伸長処理を施す。
【００４２】
書込処理部１９０は、ＤＲＡＭ制御ＩＣ１６０から入力された画像データに基づいて、画像形成のためのプリントデータを生成し、プリント部４０に出力する。
【００４３】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００４４】
操作表示部３０は、ＬＣＤ３１、タッチパネル３２、操作表示制御部３００、その他テンキー等の操作キー群から構成される。
操作表示制御部３００は、制御部１１０から入力される表示信号に従って、各種設定条件を入力するための各種画面や各種処理結果等をＬＣＤ３１に表示させる。また、操作表示制御部３００は、各種スイッチやボタン、テンキー、操作キー群、タッチパネル３２から入力される操作信号を制御部１１０に出力する。
【００４５】
そして、例えば、操作表示部３０は、印刷ジョブの不揮発性メモリ１２０への格納を指示するための入力部として機能する。
また、操作表示部３０は、不揮発性メモリ１２０へ格納する印刷ジョブに対応させて、その印刷ジョブを実行可能とするための所定の条件である設定時刻を不揮発性メモリ１２０に記憶し設定するための条件設定部として機能する。
また、操作表示部３０は、不揮発性メモリ１２０に印刷ジョブが格納されている旨をユーザに報知するように表示する機能を有する。
【００４６】
プリント部４０は、図１に示した画像形成部４３等のプリント出力に係る各部やプリント制御部４００を備えて構成される。
プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００４７】
後処理部５０は、各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。
後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００４８】
指紋認証部６０は、ユーザの指紋データの入力を受け付ける条件設定部および認証入力部として機能し、所定の操作に応じてユーザの認証情報である指紋データを読み取り、その指紋データを制御部１１０に出力する。
【００４９】
次に、プリンタコントローラ１ｂの各部について説明する。
プリンタコントローラ１ｂは、画像形成装置１をネットワークプリンタとして使用する場合に、ネットワーク３に接続される外部装置２から画像形成装置１に入力される印刷ジョブの管理及び制御を行うものであり、外部装置２からプリント対象のデータを受信し、当該データを印刷ジョブとして本体部１ａへ送信する。
【００５０】
プリンタコントローラ１ｂは、コントローラ制御部１１、ＤＲＡＭ制御ＩＣ１２、画像メモリ１３、ＬＡＮＩＦ１４から構成される。
【００５１】
コントローラ制御部１１は、プリンタコントローラ１ｂ各部の動作を統括的に制御し、ＬＡＮＩＦ１４を介して、外部装置２から入力されるデータを印刷ジョブとして本体部１ａへ送信する。
【００５２】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５３】
画像メモリ１３は、ＤＲＡＭから構成され、入力された出力データを一時的に格納する。
【００５４】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５５】
次に、実施形態１における画像形成装置１の動作や処理について、図３、図４に示すフローチャート等に基づき説明する。
【００５６】
例えば、図５に示す操作表示部３０に表示されるような印刷ジョブをユーザが設定し、その印刷ジョブを翌日に実施するために予約する場合、操作表示部３０におけるジョブ予約釦３０ａを押下することにより、図６に示すように、ジョブ予約画面３０ｂが操作表示部３０に表示される。
このジョブ予約画面３０ｂにおける「いいえ」キー３０ｄが押下されると（ステップＳ１０；Ｎｏ）、その予約を行わずに画像形成装置１の電源がオフにされて処理が終了する。
【００５７】
一方、ジョブ予約画面３０ｂにおける「はい」キー３０ｃが押下され、印刷ジョブの格納が指示されると（ステップＳ１０；Ｙｅｓ）、操作表示部３０に設定時刻入力画面が表示される（ステップＳ１１）。
操作表示部３０における設定時刻入力画面（図示省略）において、ユーザが所望する時刻を入力すると、制御部１１０は、その入力された設定時刻を印刷ジョブに対応付けるように不揮発性メモリ１２０に記憶するとともに（ステップＳ１２）、その設定時刻が対応付けられている印刷ジョブを不揮発性メモリ１２０に格納する（ステップＳ１３）。この印刷ジョブの格納後に、画像形成装置１の電源がオフにされて処理が終了する。
【００５８】
そして、その後、画像形成装置１の電源がオンに投入されると、制御部１１０は、不揮発性メモリ１２０に格納されている予約された印刷ジョブの有無を判断する（ステップＳ１４）。
制御部１１０が、不揮発性メモリ１２０に印刷ジョブが格納されていないと判断すると（ステップＳ１４；Ｎｏ）、画像形成装置１を通常起動させ、この処理を終了する。
【００５９】
一方、制御部１１０が、不揮発性メモリ１２０に印刷ジョブが格納されていると判断すると（ステップＳ１４；Ｙｅｓ）、制御部１１０は現在時刻を取得し（ステップＳ１５）、現在時刻が設定時刻を経過しているか否か判断する（ステップＳ１６）。
制御部１１０が、現在時刻は設定時刻に達していないと判断すると（ステップＳ１６；Ｎｏ）、画像形成装置１を通常起動させ、この処理を終了する。
【００６０】
一方、制御部１１０が、現在時刻が設定時刻を経過しており所定の条件を満たしていると判断すると（ステップＳ１６；Ｙｅｓ）、図５に示すように、不揮発性メモリ１２０に格納されている印刷ジョブを呼び出し（ステップＳ１７）、その印刷ジョブを実施可能に画像形成装置１を起動させ、この処理を終了する。
【００６１】
このように、画像形成装置１を起動させても、ユーザが所望する時刻になるまで、そのユーザが予約した印刷ジョブは不揮発性メモリ１２０に格納されたまま維持されるので、ユーザが不在の間に印刷ジョブが第三者によって削除されるなどし、失ってしまう恐れが無い。
【００６２】
なお、上記のように、制御部１１０が、現在時刻は設定時刻に達していないと判断した場合に、直ちに画像形成装置１を通常起動させなくてもよい。
例えば、図７に示すフローチャートのように、制御部１１０が、現在時刻が設定時刻に達していないと判断した場合に（ステップＳ１６；Ｎｏ）、図８に示すように、操作表示部３０に、継続ジョブありキー３０ｅを表示するようにして、不揮発性メモリ１２０に印刷ジョブが格納されている旨を報知するようにしてもよい。
この継続ジョブありキー３０ｅが押下されると、図９に示すように、ジョブ実行可否画面３０ｆが操作表示部３０に表示される（ステップＳ１８）。
このジョブ実行可否画面３０ｆにおける「ＮＯ」キー３０ｈが押下されると（ステップＳ１８；Ｎｏ）、画像形成装置１を通常起動させ、この処理を終了する。
一方、ジョブ実行可否画面３０ｆにおける「ＹＥＳ」キー３０ｇが押下されると（ステップＳ１８；Ｙｅｓ）、不揮発性メモリ１２０に格納されている印刷ジョブを呼び出し（ステップＳ１７）、その印刷ジョブを実施可能に画像形成装置１を起動させ、この処理を終了する。
【００６３】
このように、画像形成装置１を起動させた際に、ユーザが予め設定した設定時刻に達していなくても、ユーザがその印刷ジョブを実行する意思があれば、印刷ジョブを呼び出して実行することができる。
【００６４】
以上のように、この画像形成装置１であれば、画像形成装置１が起動されても、ユーザが予約した印刷ジョブは、そのユーザが設定した設定時刻になるまで、或いは、ユーザがその印刷ジョブの実行を指示するまで、不揮発性メモリ１２０に格納されたまま維持されるので、ユーザが不在の間に印刷ジョブが第三者の誤操作などによって失われることがない。
つまり、予約された印刷ジョブの呼び出しを、所定の条件である設定時刻に基づいて選択的に行うことができるので、ユーザの意に反して印刷ジョブが失われることなく、印刷ジョブを確実に実行することが可能になる。
【００６５】
（実施形態２）
次に、本発明に係る画像形成装置の実施形態２について説明する。なお、実施形態１と同一部分には同一符号を付し、異なる部分についてのみ説明する。
【００６６】
操作表示部３０は、不揮発性メモリ１２０へ格納する印刷ジョブに対応させて、その印刷ジョブを実行可能とするための所定の条件である認証情報としての暗証番号を不揮発性メモリ１２０に記憶し設定するための条件設定部として機能する。
また、操作表示部３０は、ユーザが、認証情報である暗証番号を入力するための認証入力部として機能する。
【００６７】
制御部１１０は、印刷ジョブ格納プログラムに基づき、操作表示部３０を介して入力される印刷ジョブの格納指示に応じて、ユーザが設定した印刷ジョブや外部装置等から取得した印刷ジョブを、不揮発性メモリ１２０へ記憶し格納する処理を実行する。
また、制御部１１０は、条件設定プログラムに基づき、不揮発性メモリ１２０へ格納する印刷ジョブに対応させて、その印刷ジョブを実行可能とするための所定の条件である認証情報としての暗証番号を不揮発性メモリ１２０に記憶し設定する処理を実行する。
【００６８】
そして、制御部１１０は、不揮発性メモリ１２０に記憶されている暗証番号と、操作表示部３０を介して入力された暗証番号とが一致していると判断した場合に不揮発性メモリ１２０に格納された印刷ジョブを実行する処理を行う。
【００６９】
この実施形態２における画像形成装置１の動作や処理について、図１０、図１１に示すフローチャート等に基づき説明する。
【００７０】
例えば、図５に示す操作表示部３０に表示されるような印刷ジョブをユーザが設定し、その印刷ジョブを翌日に実施するために予約する場合、操作表示部３０におけるジョブ予約釦３０ａを押下することにより、図６に示すように、ジョブ予約画面３０ｂが操作表示部３０に表示される。
このジョブ予約画面３０ｂにおける「いいえ」キー３０ｄが押下されると（ステップＳ２０；Ｎｏ）、その予約を行わずに画像形成装置１の電源がオフにされて処理が終了する。
【００７１】
一方、ジョブ予約画面３０ｂにおける「はい」キー３０ｃが押下され、印刷ジョブの格納が指示されると（ステップＳ２０；Ｙｅｓ）、操作表示部３０にパスワード設定画面が表示される（ステップＳ２１）。
操作表示部３０におけるパスワード設定画面（図示省略）において、ユーザが暗証番号を入力すると、制御部１１０は、その暗証番号を印刷ジョブに対応付けるように不揮発性メモリ１２０に記憶するとともに（ステップＳ２２）、その暗証番号が対応付けられている印刷ジョブを不揮発性メモリ１２０に格納する（ステップＳ２３）。この印刷ジョブの格納後に、画像形成装置１の電源がオフにされて処理が終了する。
【００７２】
そして、その後、画像形成装置１の電源がオンに投入されると、制御部１１０は、不揮発性メモリ１２０に格納されている予約された印刷ジョブの有無を判断する（ステップＳ２４）。
制御部１１０が、不揮発性メモリ１２０に印刷ジョブが格納されていないと判断すると（ステップＳ２４；Ｎｏ）、画像形成装置１を通常起動させ、この処理を終了する。
【００７３】
一方、制御部１１０が、不揮発性メモリ１２０に印刷ジョブが格納されていると判断すると（ステップＳ２４；Ｙｅｓ）、図１２に示すように、パスワード入力画面３０ｉが操作表示部３０に表示される（ステップＳ２５）。
【００７４】
このパスワード入力画面３０ｉにおいて暗証番号が入力されると（ステップＳ２６）、制御部１１０は、不揮発性メモリ１２０に記憶され設定されている暗証番号と、操作表示部３０を介して入力された暗証番号とが一致しているか否かを判断する（ステップＳ２７）。
制御部１１０が、暗証番号が一致していないと判断すると（ステップＳ２７；Ｎｏ）、ステップＳ２５に戻る。なお、所定回（例えば、３回）入力された暗証番号が一致しない場合には、画像形成装置１を通常起動させ、この処理を終了する。
一方、制御部１１０が、暗証番号が一致していると判断すると（ステップＳ２７；Ｙｅｓ）、図５に示すように、不揮発性メモリ１２０に格納されている印刷ジョブを呼び出し（ステップＳ２８）、その印刷ジョブを実施可能に画像形成装置１を起動させ、この処理を終了する。
【００７５】
以上のように、この画像形成装置１であれば、画像形成装置１が起動されても、ユーザが予約した印刷ジョブは、そのユーザが設定した暗証番号が入力されるまで不揮発性メモリ１２０に格納されたまま維持され、暗証番号の認証に基づいて選択的に印刷ジョブが呼び出されるようになっているので、ユーザの意に反して印刷ジョブが失われることなく、印刷ジョブを確実に実行することが可能になる。
【００７６】
（実施形態３）
次に、本発明に係る画像形成装置の実施形態３について説明する。なお、実施形態１と同一部分には同一符号を付し、異なる部分についてのみ説明する。
【００７７】
指紋認証部６０は、不揮発性メモリ１２０へ格納する印刷ジョブに対応させて、その印刷ジョブを実行可能とするための所定の条件である認証情報としての指紋データを不揮発性メモリ１２０に記憶し設定するための条件設定部として機能する。
また、指紋認証部６０は、ユーザが、認証情報である指紋データを入力するための認証入力部として機能する。
【００７８】
制御部１１０は、印刷ジョブ格納プログラムに基づき、操作表示部３０を介して入力される印刷ジョブの格納指示に応じて、ユーザが設定した印刷ジョブや外部装置等から取得した印刷ジョブを、不揮発性メモリ１２０へ記憶し格納する処理を実行する。
また、制御部１１０は、条件設定プログラムに基づき、不揮発性メモリ１２０へ格納する印刷ジョブに対応させて、その印刷ジョブを実行可能とするための所定の条件である認証情報としての指紋データを不揮発性メモリ１２０に記憶し設定する処理を実行する。
【００７９】
そして、制御部１１０は、不揮発性メモリ１２０に記憶されている指紋データと、指紋認証部６０を介して入力された指紋データとが一致していると判断した場合に不揮発性メモリ１２０に格納された印刷ジョブを実行する処理を行う。
【００８０】
この実施形態３における画像形成装置１の動作や処理について、図１３、図１４に示すフローチャート等に基づき説明する。
【００８１】
例えば、図５に示す操作表示部３０に表示されるような印刷ジョブをユーザが設定し、その印刷ジョブを翌日に実施するために予約する場合、操作表示部３０におけるジョブ予約釦３０ａを押下することにより、図６に示すように、ジョブ予約画面３０ｂが操作表示部３０に表示される。
このジョブ予約画面３０ｂにおける「いいえ」キー３０ｄが押下されると（ステップＳ３０；Ｎｏ）、その予約を行わずに画像形成装置１の電源がオフにされて処理が終了する。
【００８２】
一方、ジョブ予約画面３０ｂにおける「はい」キー３０ｃが押下され、印刷ジョブの格納が指示されると（ステップＳ３０；Ｙｅｓ）、操作表示部３０に指紋データ設定画面が表示される（ステップＳ３１）。
操作表示部３０における指紋データ設定画面（図示省略）の指示に従って、ユーザが指紋認証部６０を介して指紋データを入力すると、制御部１１０は、その指紋データを印刷ジョブに対応付けるように不揮発性メモリ１２０に記憶するとともに（ステップＳ３２）、その指紋データが対応付けられている印刷ジョブを不揮発性メモリ１２０に格納する（ステップＳ３３）。この印刷ジョブの格納後に、画像形成装置１の電源がオフにされて処理が終了する。
【００８３】
そして、その後、画像形成装置１の電源がオンに投入されると、制御部１１０は、不揮発性メモリ１２０に格納されている予約された印刷ジョブの有無を判断する（ステップＳ３４）。
制御部１１０が、不揮発性メモリ１２０に印刷ジョブが格納されていないと判断すると（ステップＳ３４；Ｎｏ）、画像形成装置１を通常起動させ、この処理を終了する。
【００８４】
一方、制御部１１０が、不揮発性メモリ１２０に印刷ジョブが格納されていると判断すると（ステップＳ３４；Ｙｅｓ）、図１５に示すように、指紋データ入力画面３０ｊが操作表示部３０に表示される（ステップＳ３５）。
【００８５】
この指紋データ入力画面３０ｊの指示に従って、ユーザが指紋認証部６０を介して指紋データを入力すると（ステップＳ３６）、制御部１１０は、不揮発性メモリ１２０に記憶され設定されている指紋データと、指紋認証部６０を介して入力された暗証番号とが一致しているか否かを判断する（ステップＳ３７）。
制御部１１０が、指紋データが一致していないと判断すると（ステップＳ３７；Ｎｏ）、ステップＳ３５に戻る。なお、所定回（例えば、３回）入力された指紋データが一致しない場合には、画像形成装置１を通常起動させ、この処理を終了する。
一方、制御部１１０が、指紋データが一致していると判断すると（ステップＳ３７；Ｙｅｓ）、図５に示すように、不揮発性メモリ１２０に格納されている印刷ジョブを呼び出し（ステップＳ３８）、その印刷ジョブを実施可能に画像形成装置１を起動させ、この処理を終了する。
【００８６】
以上のように、この画像形成装置１であれば、画像形成装置１が起動されても、ユーザが予約した印刷ジョブは、そのユーザが設定した指紋データが入力されるまで不揮発性メモリ１２０に格納されたまま維持され、指紋データの認証に基づいて選択的に印刷ジョブが呼び出されるようになっているので、ユーザの意に反して印刷ジョブが失われることなく、印刷ジョブを確実に実行することが可能になる。
【００８７】
（実施形態４）
次に、本発明に係る画像形成装置の実施形態４について説明する。なお、実施形態１〜３と同一部分には同一符号を付し、異なる部分についてのみ説明する。
【００８８】
操作表示部３０は、ユーザが、印刷ジョブを実行可能とするための複数の条件から任意の条件を選択するための選択部として機能する。
【００８９】
制御部１１０は、不揮発性メモリ１２０に記憶された所定の条件を満たすと判断した場合に印刷ジョブを実行する処理を行う。
なお、所定の条件とは、例えば、設定時刻、暗証番号、指紋データであり、制御部１１０が不揮発性メモリ１２０に記憶されている設定時刻を経過したと判断した場合、また制御部１１０が不揮発性メモリ１２０に記憶されている暗証番号と、操作表示部３０を介して入力された暗証番号とが一致していると判断した場合、また制御部１１０が不揮発性メモリ１２０に記憶されている指紋データと、指紋認証部６０を介して入力された指紋データとが一致していると判断した場合に、不揮発性メモリ１２０に格納された印刷ジョブが実行されるようになっている。
【００９０】
この実施形態４における画像形成装置１の動作や処理について、図１６、図１７に示すフローチャート等に基づき説明する。
【００９１】
例えば、図５に示す操作表示部３０に表示されるような印刷ジョブをユーザが設定し、その印刷ジョブを翌日に実施するために予約する場合、操作表示部３０におけるジョブ予約釦３０ａを押下することにより、図６に示すように、ジョブ予約画面３０ｂが操作表示部３０に表示される。
このジョブ予約画面３０ｂにおける「いいえ」キー３０ｄが押下されると（ステップＳ４０；Ｎｏ）、その予約を行わずに画像形成装置１の電源がオフにされて処理が終了する。
【００９２】
一方、ジョブ予約画面３０ｂにおける「はい」キー３０ｃが押下され、印刷ジョブの格納が指示されると（ステップＳ４０；Ｙｅｓ）、図１８に示すように、操作表示部３０に条件選択画面が表示される（ステップＳ４１（Ｓ４１ａ、Ｓ４１ｂ、Ｓ４１ｃ、Ｓ４１ｄ））。
【００９３】
この条件選択画面において「条件なし」キー３０ｋが押下されると（ステップＳ４１ａ；Ｙｅｓ）、印刷ジョブのみを不揮発性メモリ１２０に格納する（ステップＳ４３）。この印刷ジョブの格納後に、画像形成装置１の電源がオフにされて処理が終了する。
【００９４】
また、条件選択画面において「設定時刻」キー３０ｌが押下されると（ステップＳ４１ｂ；Ｙｅｓ）、ステップＳ１１、ステップＳ１２を経て、設定時刻が対応付けられている印刷ジョブを不揮発性メモリ１２０に格納する（ステップＳ４３）。この印刷ジョブの格納後に、画像形成装置１の電源がオフにされて処理が終了する。
【００９５】
また、条件選択画面において「パスワード」キー３０ｍが押下されると（ステップＳ４１ｃ；Ｙｅｓ）、ステップＳ２１、ステップＳ２２を経て、暗所番号が対応付けられている印刷ジョブを不揮発性メモリ１２０に格納する（ステップＳ４３）。この印刷ジョブの格納後に、画像形成装置１の電源がオフにされて処理が終了する。
【００９６】
また、条件選択画面において「指紋データ」キー３０ｎが押下されると（ステップＳ４１ｄ；Ｙｅｓ）、ステップＳ３１、ステップＳ３２を経て、指紋データが対応付けられている印刷ジョブを不揮発性メモリ１２０に格納する（ステップＳ４３）。この印刷ジョブの格納後に、画像形成装置１の電源がオフにされて処理が終了する。
【００９７】
そして、その後、画像形成装置１の電源がオンに投入されると、制御部１１０は、不揮発性メモリ１２０に格納されている予約された印刷ジョブの有無を判断する（ステップＳ４４）。
制御部１１０が、不揮発性メモリ１２０に印刷ジョブが格納されていないと判断すると（ステップＳ４４；Ｎｏ）、画像形成装置１を通常起動させ、この処理を終了する。
【００９８】
一方、制御部１１０が、不揮発性メモリ１２０に印刷ジョブが格納されていると判断すると（ステップＳ４４；Ｙｅｓ）、制御部１１０は、選択されている所定条件を判断する（ステップＳ４５（Ｓ４５ａ、Ｓ４５ｂ、Ｓ４５ｃ、Ｓ４５ｄ））。
【００９９】
制御部１１０が、条件なしであると判断すると（ステップＳ４５ａ；Ｙｅｓ）、図５に示すように、不揮発性メモリ１２０に格納されている印刷ジョブを呼び出し（ステップＳ４８）、その印刷ジョブを実施可能に画像形成装置１を起動させ、この処理を終了する。
【０１００】
また、制御部１１０が、所定条件が設定時刻であると判断すると（ステップＳ４５ｂ；Ｙｅｓ）、ステップＳ１５、ステップＳ１６を経る。
そして、制御部１１０が、現在時刻は設定時刻に達していないと判断すると（ステップＳ１６；Ｎｏ）、画像形成装置１を通常起動させ、この処理を終了する。また、制御部１１０が、現在時刻が設定時刻を経過していると判断すると（ステップＳ１６；Ｙｅｓ）、図５に示すように、不揮発性メモリ１２０に格納されている印刷ジョブを呼び出し（ステップＳ４８）、その印刷ジョブを実施可能に画像形成装置１を起動させ、この処理を終了する。
【０１０１】
また、制御部１１０が、所定条件がパスワードであると判断すると（ステップＳ４５ｃ；Ｙｅｓ）、ステップＳ２５、ステップＳ２６、ステップＳ２７を経る。
そして、制御部１１０が、暗証番号が一致していないと判断すると（ステップＳ２７；Ｎｏ）、ステップＳ２５に戻る。また、制御部１１０が、暗証番号が一致していると判断すると（ステップＳ２７；Ｙｅｓ）、図５に示すように、不揮発性メモリ１２０に格納されている印刷ジョブを呼び出し（ステップＳ４８）、その印刷ジョブを実施可能に画像形成装置１を起動させ、この処理を終了する。なお、ステップＳ２７において、所定回（例えば、３回）入力された暗証番号が一致しない場合には、画像形成装置１を通常起動させ、この処理を終了する。
【０１０２】
また、制御部１１０が、所定条件が指紋データであると判断すると（ステップＳ４５ｄ；Ｙｅｓ）、ステップＳ３５、ステップＳ３６、ステップＳ３７を経る。
そして、制御部１１０が、指紋データが一致していないと判断すると（ステップＳ３７；Ｎｏ）、ステップＳ３５に戻る。また、制御部１１０が、指紋データが一致していると判断すると（ステップＳ３７；Ｙｅｓ）、図５に示すように、不揮発性メモリ１２０に格納されている印刷ジョブを呼び出し（ステップＳ４８）、その印刷ジョブを実施可能に画像形成装置１を起動させ、この処理を終了する。なお、ステップＳ３７において、所定回（例えば、３回）入力された指紋データが一致しない場合には、画像形成装置１を通常起動させ、この処理を終了する。
【０１０３】
以上のように、画像形成装置１は、複数の条件を不揮発性メモリ１２０に記憶することができ、その複数の条件からユーザが所望する条件を選択することができる。
そして、この画像形成装置１であれば、画像形成装置１が起動されても、ユーザが予約した印刷ジョブは、そのユーザが設定した所定の条件を満たすまで不揮発性メモリ１２０に格納されたまま維持され、その条件を満たすと判断された際に印刷ジョブが呼び出されるようになっているので、ユーザの意に反して印刷ジョブが失われることなく、印刷ジョブを確実に実行することが可能になる。
【０１０４】
なお、以上の実施の形態において、認証情報として、暗証番号（パスワード）、指紋データを例に挙げたが、本発明はこれに限定されるものではなく、その他の生体認証など任意の認証情報を用いてもよい。
【０１０５】
また、その他、具体的な細部構造等についても適宜に変更可能であることは勿論である。
【図面の簡単な説明】
【０１０６】
【図１】本発明に係る画像形成装置を示す概略断面図である。
【図２】本発明に係る画像形成装置の制御ブロック図である。
【図３】実施形態１における印刷ジョブの格納処理を示すフローチャートである。
【図４】実施形態１における印刷ジョブの呼び出し処理を示すフローチャートである。
【図５】操作表示部における表示画面の一例を示す説明図である。
【図６】操作表示部における表示画面の一例を示す説明図である。
【図７】実施形態１における印刷ジョブの呼び出し処理の異なるパターンを示すフローチャートである。
【図８】操作表示部における表示画面の一例を示す説明図である。
【図９】操作表示部における表示画面の一例を示す説明図である。
【図１０】実施形態２における印刷ジョブの格納処理を示すフローチャートである。
【図１１】実施形態２における印刷ジョブの呼び出し処理を示すフローチャートである。
【図１２】操作表示部における表示画面の一例を示す説明図である。
【図１３】実施形態３における印刷ジョブの格納処理を示すフローチャートである。
【図１４】実施形態３における印刷ジョブの呼び出し処理を示すフローチャートである。
【図１５】操作表示部における表示画面の一例を示す説明図である。
【図１６】実施形態４における印刷ジョブの格納処理を示すフローチャートである。
【図１７】実施形態４における印刷ジョブの呼び出し処理を示すフローチャートである。
【図１８】操作表示部における表示画面の一例を示す説明図である。
【符号の説明】
【０１０７】
１      画像形成装置
２０    画像読取部
３０    操作表示部（入力部、条件設定部、認証入力部、選択部）
４０    プリント部
５０    後処理部
６０    指紋認証部（条件設定部、認証入力部）
１１０  制御部
１２０  不揮発メモリ（記憶部）
１３０  ＲＡＭ
【図１】
2010107882.tif 000003
【図２】
2010107882.tif 000004
【図３】
2010107882.tif 000005
【図４】
2010107882.tif 000006
【図５】
2010107882.tif 000007
【図６】
2010107882.tif 000008
【図７】
2010107882.tif 000009
【図８】
2010107882.tif 000010
【図９】
2010107882.tif 000011
【図１０】
2010107882.tif 000012
【図１１】
2010107882.tif 000013
【図１２】
2010107882.tif 000014
【図１３】
2010107882.tif 000015
【図１４】
2010107882.tif 000016
【図１５】
2010107882.tif 000017
【図１６】
2010107882.tif 000018
【図１７】
2010107882.tif 000019
【図１８】
2010107882.tif 000020